(57)【要約】      （修正有）【課題】伸長と収縮とが可能な体液吸収性着用物品を提供する。【解決手段】生理用ナプキン１０を一例とする体液吸収性着用物品は表面シート層１１と、裏面シート層１２と、これらシート層の間に介在する吸収体１３とを有する。表面シート層と裏面シート層とは縦方向への伸長性を有する。シート層１１，１２のうちの少なくとも一方のシート層は、横方向へ延びる複数条のプリーツ２８が縦方向へ拡幅されることで伸長性を発現する第１シート２５と、縦方向において弾性的な伸長と収縮が可能であって、弾性的に弛緩した状態で第１シート２５に接合されるとともに第１シートと吸収体との間に介在する第２シート２６（帯片２７）とによって形成される。【選択図】図２
0003212169.tif 000002
【実用新案登録請求の範囲】
【請求項１】
互いに直交する縦方向と横方向と厚さ方向とを有し、前記厚さ方向では肌対向面を形成する表面シート層と着衣対向面を形成する裏面シート層との間に体液吸収性の吸収体が介在し、前記表面シート層が前記吸収体を被覆する部分の少なくとも一部において透液性であり、前記裏面シート層が前記吸収体を被覆する部分において不透液性であり、前記表面シート層と前記裏面シート層とが前記吸収体から延出する部分において接合し、前記吸収体が前記表面シート層と前記裏面シート層とのうちの少なくとも一方に接合しているパッド状の体液吸収性着用物品であって、
前記表面シート層と前記裏面シート層と前記吸収体とのそれぞれが前記縦方向への伸長性を有し、
前記表面シート層と前記裏面シート層とのうちの少なくとも一方のシート層は、複数条のプリーツが並列して前記横方向へ延びていて前記プリーツが前記縦方向へ拡幅されて前記伸長性を発現する第１シートと、前記吸収体を横断していて前記縦方向においての弾性的な伸長と収縮との反復が可能であって弾性的に弛緩した状態で前記第１シートに接合するとともに前記第１シートと前記吸収体との間に介在している第２シートとによって形成されていることを特徴とする体液吸収性着用物品。
【請求項２】
前記第１シートでは、並列する複数条の前記プリーツが互いに隣接してプリーツ域を形成し、前記プリーツ域の複数が互いに離間して前記縦方向に並び、前記プリーツ域どうしの間には前記縦方向において非伸長性であって平坦な非プリーツ域が形成されている請求項１記載の体液吸収性着用物品。
【請求項３】
前記第２シートは、前記プリーツ域それぞれに重なって前記吸収体を横断し、前記縦方向では前記非プリーツ域において互いに離間する複数の弾性帯片によって形成されている請求項２記載の体液吸収性着用物品。
【請求項４】
前記第１シートが通気不透液性のプラスチックフィルムで形成されている請求項１−３のいずれかに記載の体液吸収性着用物品。
【請求項５】
前記非プリーツ域の一部分には、着衣に着脱可能な止着域が形成されている請求項２記載の体液吸収性着用物品。
【請求項６】
前記吸収体は、前記吸収体を前記厚さ方向において貫通して前記吸収体の一部分を前記縦方向において分断する分断部位が形成されている請求項２記載の体液吸収性着用物品。
【請求項７】
前記吸収体は、前記分断部位であって、前記横方向の寸法を二等分する中心線と交差して前記横方向へ延びていて、前記吸収体を前記中心線上において前記縦方向に分断する中央分断部位を有し、前記中央分断部位の複数が前記縦方向に並んでいる請求項６記載の体液吸収性着用物品。
【請求項８】
前記吸収体は、前記横方向の両側に前記縦方向へ延びる側縁を有し、前記側縁には、前記分断部位であって、前記吸収体の内側に向かって前記横方向へ延びていて、前記側縁を前記縦方向において分断する複数の側縁分断部位が形成されている請求項６または７記載の体液吸収性着用物品。
【請求項９】
前記体液吸収性着用物品には、前記横方向へ突出した状態にあるウイング部が形成され、前記吸収体の前記側縁から延出した前記裏面シート層が前記ウイング部にまで延びていて、前記ウイング部における前記裏面シート層には前記プリーツ域と前記非プリーツ域とのうちの少なくとも前記非プリーツ域が含まれている請求項８記載の体液吸収性着用物品。
【請求項１０】
前記表面シート層と前記裏面シート層とは、前記体液吸収性着用物品の周縁に沿って形成された複数の圧搾部において接合し、前記周縁に沿って隣り合う前記圧搾部どうしの間の部位においては伸長性の接着剤を介して接合している請求項２記載の体液吸収性着用物品。
【請求項１１】
前記体液吸収性着用物品の前記横方向の両側それぞれには、前記表面シート層の一部を覆って前記縦方向へ延びる伸長性の不織布によって防漏部が形成されている請求項９記載の体液吸収性着用物品。
【請求項１２】
前記防漏部の前記不織布が、前記体液吸収性着用物品の前記両側それぞれと前記ウイング部とにおいて前記裏面シート層に重なり、接合している請求項１１記載の体液吸収性着用物品。
【請求項１３】
前記防漏部の前記不織布と前記裏面シート層とは、前記体液吸収性着用物品の周縁に沿って重なり合い、前記周縁に沿って形成された複数の圧搾部において接合し、前記周縁に沿って隣り合う前記圧搾部どうしの間の部位においては前記伸長性の接着剤を介して接合している請求項１１記載の体液吸収性着用物品。
【請求項１４】
前記部位が前記非プリーツ域に形成されている請求項１０−１３のいずれかに記載の体液吸収性着用物品。
【請求項１５】
前記体液吸収性着用物品が、シート状材料によって包装されることで包装体になっており、前記包装体では、前記体液吸収性着用物品の前記縦方向における両端部のうちの一端部が前記包装体から前記体液吸収性着用物品を取り出すときに使用する摘持用端部となるとともに、前記縦方向には前記摘持用端部と前記止着域との間に前記プリーツ域の複数のうちの一つであって前記摘持用端部に対向する端部プリーツ域が形成されていて、前記体液吸収性着用物品を取り出すための開口が前記包装体の所要部位に形成されると、前記開口には前記摘持用端部とともに前記端部プリーツ域が見えるように包装されている請求項５記載の体液吸収性着用物品。
【考案の詳細な説明】
【技術分野】
【０００１】
本考案は、生理用ナプキンや吸尿パッド等として使用するのに好適な体液吸収性着用物品に関する。
【背景技術】
【０００２】
生理用パンツ等のパンツ型着用物品の股下域の内面に取り付けて使用する生理用ナプキンや吸尿パッド等のパッド状の体液吸収性着用物品は周知である。また、このような着用物品であって、着用者の身体の前後方向に伸長可能なものは公知である。
【０００３】
例えば、特許第３９９８７１２号公報（特許文献１）に記載の吸収性製品は、吸収性製品を横断する伸長性部分を有する。伸長性部分は、吸収性製品の長手方向に伸長することができる。その伸長性部分における表面シートとバックシートとにはクレーピングが多数形成されている。
【０００４】
特開２０１３−３８５号公報（特許文献２）に記載の伸縮性を有する吸収性物品は、伸縮性の裏面シートと収縮性の吸収構造体とを備えていて、伸長状態にある裏面シートと非収縮状態にある吸収構造体とが互いに固定された状態にある。吸収構造体は、裏面シートの収縮に伴って収縮可能である。裏面シートには、例えばエラストマーフィルムやエンボス加工したフィルムが使用される。生理用ナプキンを一例とするこの吸収性物品は、非伸長時に収縮状態となり、所要の大きさの引っ張り荷重を作用させると、伸長状態になる。このように形成される生理用ナプキンは、下着のクロッチ部において伸縮可能なものになる。
【先行技術文献】
【特許文献】
【０００５】
【特許文献１】特許第３９９８７１２号公報
【特許文献２】特開２０１３−３８５号公報
【考案の概要】
【考案が解決しようとする課題】
【０００６】
表面シートやバックシートにクレーピングを形成してこれらシートに伸長性部分を作る従来の生理用ナプキンでは、その伸長性部分を伸長させた後に速やかに収縮させ復元させることが難しい。また、伸長状態にある裏面シートに非収縮状態にある吸収構造体を固定することによって伸長性を有する吸収性物品を作る従来の吸収性物品では、裏面シートを通気不透液性のものにしようとすると、通気不透液性フィルムと不織布とによって、互いに並行して延びる複数条の糸状の弾性部材をサンドウィッチした複合シートを作り、その複合シートに延伸加工を施さなければならない。
【０００７】
本考案が課題とするところは、従来技術におけるこのような問題を解消することができるように改良されたパッド状の体液吸収性着用物品の提供にある。
【課題を解決するための手段】
【０００８】
前記課題を解決するために、本考案が対象とするのは、互いに直交する縦方向と横方向と厚さ方向とを有し、前記厚さ方向では肌対向面を形成する表面シート層と着衣対向面を形成する裏面シート層との間に体液吸収性の吸収体が介在し、前記表面シート層が前記吸収体を被覆する部分の少なくとも一部において透液性であり、前記裏面シート層が前記吸収体を被覆する部分において不透液性であり、前記表面シート層と前記裏面シート層とが前記吸収体から延出する部分において接合し、前記吸収体が前記表面シート層と前記裏面シート層とのうちの少なくとも一方に接合しているパッド状の体液吸収性着用物品である。
【０００９】
本考案が特徴とするところは、次のとおりである。前記表面シート層と前記裏面シート層と前記吸収体とのそれぞれが前記縦方向への伸長性を有する。前記表面シート層と前記裏面シート層とのうちの少なくとも一方のシート層は、複数条のプリーツが並列して前記横方向へ延びていて前記プリーツが前記縦方向へ拡幅されて前記伸長性を発現する第１シートと、前記吸収体を横断していて前記縦方向においての弾性的な伸長と収縮との反復が可能であって弾性的に弛緩した状態で前記第１シートに接合するとともに前記第１シートと前記吸収体との間に介在している第２シートとによって形成されている。
【考案の効果】
【００１０】
本考案に係る体液吸収性着用物品は、プリーツが拡幅することにより伸長性を発現する第１シートと、弾性的な伸長と収縮との反復が可能であって弛緩した状態にある第２シートとが互いに接合しているから、伸長状態にあるときの第１シートは、伸長する前の状態に弾性的に復帰することが容易である。
【図面の簡単な説明】
【００１１】
以下の図面は、本考案の特定の実施の形態を示すばかりでなく、考案の不可欠な構成、選択的に実施可能な構成及び好ましい実施の形態を含んでいる。
【図１】体液吸収性着用物品（生理用ナプキン）の肌対向面を示す部分破断平面図。
【図２】図１の体液吸収性着用物品の着衣対向面を示す部分破断平面図。
【図３】吸収体の平面図。
【図４】図１のＩＶ−ＩＶ線切断面を示す図。
【図５】生理用ナプキンが伸長状態にあるときの図４と同様な図。
【図６】個袋入り生理用ナプキンの部分破断斜視図。
【図７】実施形態の一例である生理用ナプキンの肌対向面を示す部分破断平面図。
【図８】図７の生理用ナプキンの着衣対向面を示す部分破断平面図。
【図９】実施形態の一例を示す図４と同様な図。
【図１０】実施形態の一例を示す図９と同様な図。
【図１１】プリーツ形成用ロールの側面図。
【考案を実施するための形態】
【００１２】
添付の図面を参照して本考案に係る体液吸収性着用物品の詳細を説明すると、以下のとおりである。
【００１３】
図１は、体液吸収性着用物品の一例である生理用ナプキン１０の肌対向面１１ａを示す部分破断図である。ナプキン１０は、着用者の肌（図示せず）に対する対向面１１ａを形成している表面シート層１１と、着用者の着衣に対する対向面１２ａ（図２参照）を形成している裏面シート層１２と、これら両シート層１１，１２の間に介在する体液吸収性の吸収体１３とを有する。表面シート層１１は、吸収体１３を被覆していて少なくとも一部分が透液性のものであり、裏面シート層１２は、その全体のうちで少なくとも吸収体１３を被覆する部分が不透液性のものである。生理用ナプキン１０は、双頭矢印Ａ，Ｂ，Ｃで示されている縦方向と横方向と厚さ方向とを有し（図４を併せて参照）、縦方向Ａは長さ方向または前後方向と呼ばれることがある。横方向Ｂは幅方向と呼ばれることがある。厚さ方向Ｃは、表面シート層１１と、吸収体１３と、裏面シート層１２とが重なり合う方向である。生理用ナプキン１０は、横方向Ｂの両側それぞれに縦方向Ａへ延びる側部１６と、縦方向Ａの両端それぞれに横方向Ｂへ延びる端部１７とを有する。これら側部１６と端部１７とによって形成される生理用ナプキン１０の周縁部１８には、重なり合う表面シート層１１と裏面シート層１２とを接合する複数の圧搾部１９が断続的に形成されている。表面シート層１１と裏面シート層１２とはまた、縦方向Ａにおいて隣り合う圧搾部１９どうしの間の部位が接着剤を介して、好ましくはゴム系樹脂成分を含む弾性的に伸長可能な接着剤２２を介して互いに接合している。
【００１４】
表面シート層１１は、縦方向Ａへの伸長性、より好ましくは弾性的な伸長性を有する透液性の不織布や開孔プラスチックフィルムで形成されている。不織布で形成される場合のそのような表面シート層１１は、構成繊維が主として機械方向に配向しているスパンボンド不織布をその機械方向が横方向Ｂに一致する態様で使用することによって得ることができる他に、捲縮した熱可塑性合成繊維を含む不織布やポリウレタン繊維等の弾性繊維を含む不織布を使用することによっても得ることができる。また、非伸長性の不織布に対して互いに横方向Ｂへ延びる多数のスリットを形成することによっても得ることができる。プラスチックフィルムで形成される場合のそのような表面シート層１１は、透液性の開孔を有するポリエチレン樹脂フィルムに後記プリーツ域２９（図２，４参照）と同様なプリーツ域を形成することによって得ることができる他に、透液性の開孔を有するポリエチレン樹脂フィルムに互いに並行して横方向Ｂへ延びる多数のスリットを形成することによって得ることもできる。表面シート層１１は、透液性の開孔を有するエラストマーのフィルムによって形成することもできる。
【００１５】
本考案において、表面シート層１１等のシート層が伸長性であるというときには、そのシート層から得た縦方向Ａと横方向Ｂとの寸法が５０ｍｍと２５ｍｍである試験片について、縦方向Ａの両端を１０ｍｍずつ把持するように引張試験機にセットし、縦方向Ａの長さ３０ｍｍを１００ｍｍ／ｍｉｎの速度で引っ張り、横方向Ｂの寸法２５ｍｍ当たりについて３０ｍＮの伸長力が縦方向Ａに作用したときの伸長率が３％以上であること、すなわち伸長力を作用させる前の長さの１．０３倍以上の長さになることを意味している。また、シート層が弾性的な伸長性を有するというときには、伸長力を作用させてそのシート層を２倍の長さにまで縦方向Ａへ伸長し、その後、直ちに伸長力を解くと、長さが伸長力を作用させる前の長さの１．５倍以下にまで戻る性質のものであることを意味している。長さが１．５倍以下にまで戻らないシート層は、非弾性的な伸長性を有するものである。
【００１６】
図２は、生理用ナプキン１０の着衣対向面１２ａを示す部分破断図である。着衣対向面１２ａを形成している裏面シート層１２は、不透液性、より好ましくは通気不透液性であって、表面シート層１１と同形同大の第１シート２５と、吸収体１３を横断して横方向Ｂへ延びていて、縦方向Ａにおいて弾性的に伸長、収縮可能な複数の帯片２７によって形成される第２シート２６とを含んでいる。
【００１７】
不透液性である場合の第１シート２５は、例えばポリエチレン樹脂フィルム等のプラスチックフィルムで形成される。通気不透液性である場合の第１シート２５は、例えば充填剤として硫酸バリウム等の無機物の微粒子を含む延伸ポリエチレン樹脂フィルム等のプラスチックフィルムで形成される。第１シート２５には、吸収体１３を横断して一方の側部１６からもう一方の側部１６にまで延びるプリーツ２８が多数形成されている。プリーツ２８はまた、縦方向Ａにおいて隣接するものどうしがプリーツ域２９を形成している。縦方向Ａに並ぶプリーツ域２９と２９との間には、プリーツ２８の存在しない平坦な非プリーツ域３０が形成されている。プリーツ２８の縦方向Ａにおける断面形状は、図４に例示の如き起伏を有するものであるから、プリーツ２８が側部１６にあって着用者の肌を刺激することがないように、プリーツ２８は圧搾部１９のみならず、圧搾部１９どうしの間においても押しつぶされた状態にあることが好ましい。
【００１８】
帯片２７は、ポリウレタン樹脂フィルム等のゴム弾性を有するプラスチックフィルムで形成されていて、第１シート２５と吸収体１３との間に介在して、プリーツ域２９と重なった状態にあり、より好ましくはプリーツ域２９の全体を被覆するようにプリーツ域２９と重なった状態にあり、弾性的に弛緩した状態でホットメルト接着剤３７（図４参照）を介して第１シート２５に接合している。
【００１９】
帯片２７のそれぞれはまた、プリーツ域２９と２９との間にある非プリーツ域３０の全域を被覆することがないように、縦方向Ａにおいて離間している。それゆえ、非プリーツ域３０のそれぞれは、帯片２７を介することなく吸収体１３と向き合っている。非プリーツ域３０における着衣に対しての対向面１２ａには粘着材を塗布することによって、着衣に剥離可能に止着することのできる止着域３５が形成されている。生理用ナプキン１０の好ましい一例において、止着域３５は縦方向Ａに並ぶプリーツ域２９とプリーツ域２９との間に形成されて、端部１７がプリーツ域２９と向かい合うようになる。すなわち、端部１７の近傍には、止着域３５ではなくてプリーツ域２９が形成されている。生理用ナプキン１０が製造されてから着用されるまでの間、止着域３５は、仮想線で示されたセパレータ３６によって被覆保護されている。
【００２０】
図３は、吸収体１３の平面図である。吸収体１３は、吸水性繊維の集合体を圧縮成形したもの、高吸水性ポリマー粒子と吸水性繊維との混合物を圧縮成形したもの、その圧縮成形したものをティッシュペーパや透水性の不織布で被覆したもの等であって、水溶性バインダー等のバインダーを含むことがある。吸水性繊維には、レイヨン繊維やアセテート繊維のステープル、粉砕パルプ等がある。吸収体１３はまた、横方向Ｂの両側それぞれにおいて縦方向Ａへ延びる側縁３１と、縦方向Ａの両端にあって横方向Ｂへ延びる端縁３２とを有する。吸収体１３には、縦方向Ａへ延びる中心線Ｐ上において、吸収体１３を縦方向Ａへ部分的に分断して横方向Ｂへ延びる複数の中央分断部位３３ａと、側縁３１から中心線Ｐに向かように横方向Ｂへ延びていて中心線Ｐの側方において吸収体１３の一部分を縦方向Ａへ分断する複数の側縁分断部位３３ｂとが形成されている。これら中央分断部位３３ａと側縁分断部位３３ｂとは、中心線Ｐに関して対称となるように形成されていることが好ましい。ただし、吸収体１３は、中心線Ｐおよび側縁３１と交差することなく前記吸収体１３の一部分を縦方向Ａにおいて分断していたり、不規則に分布して吸収体１３の一部分を縦方向Ａにおいて分断していたりする分断部位３３が形成されているものであってもよい。吸収体１３を厚さ方向Ｃ（図４参照）において貫通している。中央分断部位３３ａと側縁分断部位３３ｂとは、吸収体１３にスリットを形成することによって得ることができる。また、成形型を使用して吸収体１３の外形を作るときに分断部位を同時に作ることもできる。
【００２１】
図３の吸収体１３は、ホットメルト接着剤（図示せず）を使用して表面シート層１１および／または裏面シート層１２に接合していて、中央分断部位３３ａと側縁分断部位３３ｂとが閉じた状態にある。裏面シート層１２に接合する場合の吸収体１３は、第２シート２６が縦方向Ａへ伸長することを妨げることがないように、第１シート２５における非プリーツ域３０に接合していることが好ましいが、第１シート２５におけるプリーツ域２９に接合したり、第２シート２６の一部分に接合したりする態様で本考案を実施することもできる。
【００２２】
図４は、図１のＩＶ−ＩＶ線断面図である。表面シート層１１と裏面シート層１２との間に介在している吸収体１３には、生理用ナプキン１０の厚さ方向Ｃにおいて吸収体１３を貫通する中央分断部位３３ａが形成されている。裏面シート層１２における第１シート２５には、多数のプリーツ２８とプリーツ域２９とが形成されている。前後方向Ａにおいて互いに離間するプリーツ域２９とプリーツ域２９との間には非プリーツ域３０が形成されている。第１シート２５は、非プリーツ域３０において平坦であって、その非プリーツ域３０の一部分には止着域３５が形成されている。裏面シート層１２における第２シート２６を形成している帯片２７は、プリーツ域２９を覆うようにプリーツ域２９をまたいでいて、ホットメルト接着剤３７を介して第１シート２５に接合している。帯片２７は、図示例の如く非プリーツ域３０に接合していることが好ましいものであるが、プリーツ域２９に接合することもできる。ただし、帯片２７がプリーツ域２９に接合することは、裏面シート層１２が縦方向Ａへ引っ張られたときにプリーツ域２９が縦方向Ａへ拡幅することの妨げになることがあるから、プリーツ域２９に接合する帯片２７は、プリーツ域２９の一部分にのみ接合していたり、複数のプリーツ域２９のうちの一部のプリーツ域２９にのみ接合していたりするものであることが好ましい。
【００２３】
縦方向Ａにおいて隣り合う帯片２７どうしは、非プリーツ域３０を被覆することがないように互いに離間しているから、非プリーツ域３０は吸収体１３と直接的に向かい合っている。それゆえ、非プリーツ域３０において、第１シート２５は帯片２７によって邪魔されることなく、通気性としての機能を発揮し、吸収体１３に吸収された水分から生じる水蒸気を生理用ナプキン１０の外へ逃がすことができる。
【００２４】
図５は、このように形成されている図４の生理用ナプキン１０の両端部１７を摘持して、生理用ナプキン１０を縦方向Ａへ引っ張ったときの状態を示す生理用ナプキン１０の部分図である。このように引っ張られているときの生理用ナプキン１０はまた、図１−３に仮想線で示されている。図５の生理用ナプキン１０では、裏面シート層１２の第１シート２５が縦方向Ａへ引っ張られることによってプリーツ２８のそれぞれが縦方向Ａにおいて拡幅すると同時に、第２シート２６を形成している帯片２７のそれぞれが弾性的に伸長している。生理用ナプキン１０の側部１６と端部１７とにおいて裏面シート層１２に接合している表面シート層１１もまた、縦方向Ａへ伸長する。表面シート層１１と裏面シート層１２とが側部１６において縦方向Ａへ断続的に延びるように形成された圧搾部１９で接合していることは、これら両シート層１１，１２が圧搾部１９と１９との間において縦方向Ａへ伸長することを可能にしている。特に、裏面シート層１２のプリーツ域２９において圧搾部１９が断続的に形成されていることは、プリーツ域２９の伸長を容易にする。吸収体１３は、表面シート層１１および／または裏面シート層１２に接合していることによって、中央分断部位３３ａと側縁分断部位３３ｂとのうちの少なくとも中央分断部位３３ａにおいて縦方向Ａへ拡開する。その結果として、生理用ナプキン１０は縦方向Ａへ伸長する。これらの伸長によって生じる生理用ナプキン１０としての伸長は、第２シート２６の存在によって弾性的なものであって、生理用ナプキン１０は、伸長力から解放されると、弾性的に収縮して、伸長される前の状態に近づく。
【００２５】
それゆえ、この生理用ナプキン１０を生理用パンツ等の着衣の股下域に止着して着用すると、着用者の動きに伴って股下域がねじられたり、曲げられたりしたときに、生理用ナプキン１０は弾性的に伸長したり、弾性的に収縮したりしながら股下域の動きに追随することができる。生理用ナプキン１０はそのように容易に伸長するものであるから、止着域３５が股下域から簡単に剥離するということがない。股下域においてはまた、生理用ナプキン１０にたるみが生じたり、生理用ナプキン１０だけにしわが生じたりすることがなく、着用者にとっては、生理用ナプキン１０と着衣との一体感が強いものになる。なお、本考案において生理用ナプキンが伸長性であるというときには、生理用ナプキンの両端部を引張試験機のチャックによって１０−２０ｍｍの幅だけ把持して幅２５ｍｍ当たりについて７００ｍＮの張力を作用させたときに、生理用ナプキンがチャックとチャックとの間において損傷することなく少なくとも３％伸長することを意味している。生理用ナプキンは、１００ｍｍ／ｍｉｎの速度で伸長させることが好ましい。
【００２６】
生理用ナプキン１０はまた、吸収体１３に中央分断部位３３ａが形成されていることによって、両端部１７における中心線Ｐ上の部位を摘持して縦方向Ａへ引っ張ると両側部１６で接合している表面シート層１１と裏面シート層１２との影響を受けることなく容易に伸長するという特性を有している。したがって、市販の多数の生理用ナプキンのうちから本考案に係る生理用ナプキン１０を選択的に着用しようとする着用者は、手にした生理用ナプキンの両端部を縦方向Ａへ引っ張ることによって、生理用ナプキン１０の特性の存在を知り、生理用ナプキン１０を迷うことなく選択することができる。
【００２７】
図６は、生理用ナプキン１０がシート状の包装材料であるプラスチックフィルム４５とともに形成している包装体４０の部分破断斜視図である。生理用ナプキン１０は、止着域３５を覆うように裏面シート層１２に対してセパレータ３６が重ねられているもので、表面シート層１１を内側にして、縦方向Ａにおいて折り重ねられている。包装体４０では、セパレータ３６がプラスチックフィルム４５に対して剥離不能に接合し、プラスチックフィルム４５の一部分がフラップ４１を形成している。フラップ４１は、両側部４２が包装体４０における本体部分４３に対して剥離可能に接合して包装体４０におけるシール部を形成し、側部４２と側部４２との中間部分がテープ４６を介して本体部分４３に封止されている。テープ４６は、フラップ４１に対しては剥離不能に止着し、本体部分４３には剥離可能に止着している。テープ４６を摘持して矢印Ｒで示す方向へ旋回させると、フラップ４１は、両側部４２が本体部分４３から剥離して旋回し、包装体４０には生理用ナプキン１０を取り出すための開口がフラップ４１と本体部分４３との間に形成され、その開口では、生理用ナプキン１０の両端部１７のうちの一方の端部１７ａが見えるようになる。それと同時に複数のプリーツ域２９のうちで端部１７ａと対向するように形成されている端部プリーツ域２９ａの少なくとも一部分が見えるようになる。生理用ナプキン１０の止着域３５（図２参照）を被覆しているセパレータ３６は、仮想線で示すフラップ４１と一体になって旋回するように動き、止着域３５から剥がれる。
【００２８】
包装体４０から生理用ナプキン１０を取り出すには、一方の手で端部１７ａを摘持用の端部として摘むと同時に、もう一方の手で仮想線の状態にあるフラップ４１を摘み、互いを引き離すように反対方向へ引張ればよい。このような包装体４０では、その所要部位に開口を形成すれば、生理用ナプキン１０を取り出そうとするときに端部プリーツ域２９ａの存在を容易に認識することができ、摘持用の端部１７ａを引っ張り始めるときには、端部１７ａに対向している端部プリーツ域２９ａを直視しながらその端部プリーツ域２９ａの伸長を実感することができる。それゆえ、着用者は、これから自分が着用しようとするものが本考案に係る生理用ナプキン１０であることをごく自然に認識することができる。
【００２９】
なお、生理用ナプキン１０は、図示例のセパレータ３６を使用することなく包装体４０を形成しているものであってもよい。その場合の包装体４０では、プラスチックフィルム４５が止着域３５に対して剥離可能に接合して、セパレータを兼ねるものになる。
【００３０】
図７は、本考案の実施態様の一例である生理用ナプキン１１０の肌対向面１１ａを示す部分破断図である。ただし、図１等に例示の生理用ナプキン１０と同じ機能を有する部位には、生理用ナプキン１０の場合と同じ参照符号が使用されている。
【００３１】
生理用ナプキン１１０は、湾曲線を画く両側部１６を有し、両側部１６それぞれには横方向Ｂへ突出するウイング部７０が形成されている。ウイング部７０は、生理用ナプキンにおいて周知慣用のものであって、生理用ナプキン１１０を着用するときに着衣における股下域の外面（図示せず）に折り重ね、止着域３５（図８参照）を使用してその外面に剥離可能に止着される。
【００３２】
かかる生理用ナプキン１１０は、生理用ナプキン１０と同様に縦方向Ａにおいての伸長性を有する透液性の表面シート層１１と、縦方向Ａにおいての弾性的な伸長性と収縮性とを有する不透液性の裏面シート層１２と、表面シート層１１と裏面シート層１２との間に介在していて縦方向Ａにおいての伸長性を有する体液吸収性の吸収体１３とを有する。吸収体１３には図３に例示のものが使用されている。側部１６とウイング部７０とは、撥水性または不透液性の防漏シート７１と裏面シート層１２とが重なり合いホットメルト接着剤（図示せず）を介して互いに接合することにより形成されている。防漏シート７１はまた、表面シート層１１にホットメルト接着剤（図示せず）を介して接合している部位７２を有する。ただし、部位７２は、縦方向Ａへ延びる内側縁部７２ａが生理用ナプキン１１０の両端部１７を除いて、表面シート層１１に対して非接合状態にある。このような態様で使用されている防漏シート７１は、生理用ナプキン１０において、体液の横漏れや滲み出しを防ぐことのできる防漏部７３を形成している。撥水性である場合の防漏シート７１は、熱可塑性合成繊維の不織布を使用することによって、また必要ならばその不織布に撥水処理を施したものを使用することによって得ることができる。不透液性の防漏シート７１は、ポリエチレンフィルム等のプラスチックフィルムを使用することによって得ることができる。そのプラスチックフィルムは、肌触りのよい熱可塑性合成繊維の不織布を重ね合せた複合シートの状態で使用することもできる。
【００３３】
生理用ナプキン１１０において、表面シート層１１と吸収体１３と裏面シート層１２とが重なり合った状態にある横方向Ｂの中央部分７５には、表面シート層１１から裏面シート層１２に向かってくぼみ、互いに離間するドット状の圧搾部７６が多数形成されている。圧搾部７６は、中央部分７５に対してエンボス加工を施すことによって、より好ましくは加熱下でのエンボス加工を施すことによって得ることができる。圧搾部７６において表面シート層１１と吸収体１３と裏面シート層１２とは、機械的に交絡することによって、または溶着することによって一体化している。圧搾部７６が形成されている生理用ナプキン１１０では、表面シート層１１と吸収体１３とを、裏面シート層１２とともに伸長させたり収縮させたりすることが容易になる。生理用ナプキン１１０においてはまた、圧搾部１９が周縁に沿って並んでいる。
【００３４】
図８は、生理用ナプキン１１０の着衣対向面１２ａを示す部分破断図である。裏面シート層１２は、生理用ナプキン１０と同様にプリーツ２８とプリーツ域２９と、非プリーツ域３０とが形成されている通気不透液性の第１シート２５と縦方向Ａにおいて弾性的に伸長、収縮可能な複数条の帯片２７によって形成される第２シート２６とを有する。ウイング部７０における第１シート２５には、プリーツ域２９と非プリーツ域３０とのうちの少なくとも非プリーツ域３０が含まれていて、その非プリーツ域３０には、止着域３５が形成されている。止着域３５は、生理用ナプキン１０に対して使用されるセパレータ３６と同様なセパレータによって被覆保護しておくことができる。ウイング部７０は、そこにプリーツ域２９が形成されていると、生理用ナプキン１１０を着衣に取付けるときに、着衣における股下域の外面に向かって折り曲げにくくなる場合がある。そのような場合を避けたいときのウイング部７０は、プリーツ域２９の形成されていないものであることが好ましい。生理用ナプキン１１０の前後方向Ａに形成される複数の止着域３５は、互いに大きな距離で離間していることによって、例えば図示例の如く両端部１７にのみ形成されていることによって、止着域３５は生理用ナプキン１１０の縦方向Ａにおける伸長を妨げないものになる。止着域３５をそのように形成することは、図１に例示の生理用ナプキン１０に対しても適用できる。
【００３５】
図９は、本考案の実施態様の一例を示す生理用ナプキン２１０についての図４と同様な図であって、図４の生理用ナプキン１０の機能と同じ機能を有する部位には、生理用ナプキン１０の参照符号と同じ参照符号が使用されている。
【００３６】
生理用ナプキン２１０では、表面シート層１１として、吸収体１３を横断する複数条のプリーツ８０と、隣接する複数のプリーツ８０によって形成されるプリーツ域８１の複数と、プリーツ域８１とプリーツ域８１との間に介在する非プリーツ域８２と多数の透液性開孔８５とが形成されたポリエチレン樹脂フィルムが使用されている。表面シート層１１は、縦方向Ａへ引っ張られると、プリーツ域８１が拡幅することによって、縦方向Ａへ容易に伸長する。生理用ナプキン２１０にはまた、生理用ナプキン１０において使用された裏面シート層１２と吸収体１３とが使用されている。表面シート層１１のプリーツ域８１と裏面シート層１２のプリーツ域２９とが吸収体１３における中央分断部位３３ａを介して向き合うことによって伸長容易な部位８５を形成していることが好ましい。
【００３７】
図１０もまた、本考案の実施態様の一例を示す生理用ナプキン３１０についての図９と同様な図であって、生理用ナプキン１０，１１０，２１０と同じ機能を有する部位には、これらの生理用ナプキン１０，１１０，２１０の参照符号と同じ参照符号が使用されている。生理用ナプキン３１０では、図９における生理用ナプキン２１０の表面シート層１１として使用された透液性プラスチックフィルムが着用者の肌に対する対向面１１ａを形成するための第３シート８３として使用されている。第３シート８３におけるプリーツ域８１と吸収体１３との間には、縦方向Ａへ弾性的に伸長可能な第４シート８４が介在している。ただし、第４シート８４は、プリーツ域８１と重なる位置にあって、弾性的に弛緩した状態にあり、ホットメルト接着剤８６を介して第３シート８３に接合している弾性的に伸長可能な複数の帯片８７によって形成されている。非プリーツ域８２は、その大部分が帯片８７と重なり合うことがなく、吸収体１３と向かい合っている。裏面シート層１２と吸収体１３とには、生理用ナプキン２１０で使用されているものと同じものが使用されている。生理用ナプキン３１０の一例において、表面シート層１１における帯片８７と、裏面シート層１２における帯片２７とは、吸収体１３の中央分断部位３３ａを介して向き合っている。
【００３８】
このように形成されている生理用ナプキン３１０もまた伸長容易な部位８５を有していて、縦方向Ａにおける伸長力が作用すると、その部位８５において表面シート層１１と裏面シート層１２とが弾性的に伸長し、伸長力が解けたときには、強い回復力で伸長前の状態に戻ろうとする。ただし、本考案において、生理用ナプキン３１０は、裏面シート層１２が第２シート２６を含まず、第１シート２５だけで形成されている態様のものであってもよい。
【００３９】
生理用ナプキン１０，２１０，３１０を例にとって説明した本考案に係る体液吸収性着用物品は、おりものを吸収させるためのパンティライナーや失禁患者等が使用する吸尿パッド等の体液処理用の吸収性物品として実施することができる。また、この体液吸収性着用物品は、比較的薄手のものである場合において作用効果が顕著になる。
【００４０】
図１１は、プリーツ域２９を有する第１シート２５（図２，４参照）を得るために使用される一対のプリーツ形成用ロール９２ａ，９２ｂの側面図である。図１１では、裏面シート層１２における第１シート２５を得るための熱可塑性プラスチックのフィルムで形成された第１ウエブ９１が機械方向（図示せず）へ連続的に走行して、機械方向に直交する交差方向ＣＤへ延びる一対のプリーツ形成用ロール９２ａと９２ｂとの間に進入する。プリーツ形成用ロール９２ａと９２ｂとでは、互いに噛み合うコルゲート形状部９３ａと９３ｂとがロールの軸方向である交差方向ＣＤへ並んでいる。また、コルゲート形状部９３ａと９３ｂとには、交差方向ＣＤに山部と谷部とが交互に並んでいて、コルゲート形状部９３ａの山部と谷部とが、コルゲート形状部９３ｂの谷部と山部とに対して相補的な形状を有している。コルゲート形状部９３ａと９３ｂとに挟まれた第１ウエブ９１は、これらロール９２ａと９２ｂとのコルゲート形状を倣うように塑性変形して、第１ウエブ９１には複数条のプリーツ１２８と、複数条のプリーツ１２８が互いに隣接しているプリーツ域１２９とが形成される。隣り合うプリーツ域１２９と１２９との間には、プリーツ１２８の存在しない非プリーツ域１３０が形成される。第１ウエブ９１の塑性変形を容易にするために、ロール９２ａと９２ｂとは加熱状態で使用することができる。プリーツ域１２９が形成された第１ウエブ９１は、それを所要の形状に裁断することによって第１シート２５となり得るものであるが、第１ウエブ９１は、それを裁断する前に帯片２７（図２，４参照）の連続体を接合し、その後に所要の形状に裁断すれば、裏面シート層１２として使用できるものになる。
【００４１】
これまでに説明した上記の本考案は、少なくとも以下のように整理することができる。
【００４２】
互いに直交する縦方向と横方向と厚さ方向とを有し、前記厚さ方向では肌対向面を形成する表面シート層と着衣対向面を形成する裏面シート層との間に体液吸収性の吸収体が介在し、前記表面シート層が前記吸収体を被覆する部分の少なくとも一部において透液性であり、前記裏面シート層が前記吸収体を被覆する部分において不透液性であり、前記表面シート層と前記裏面シート層とが前記吸収体から延出する部分において接合し、前記吸収体が前記表面シート層と前記裏面シート層とのうちの少なくとも一方に接合しているパッド状の体液吸収性着用物品であって、
前記表面シート層と前記裏面シート層と前記吸収体とのそれぞれが前記縦方向への伸長性を有し、
前記表面シート層と前記裏面シート層とのうちの少なくとも一方のシート層は、複数条のプリーツが並列して前記横方向へ延びていて前記プリーツが前記縦方向へ拡幅されて前記伸長性を発現する第１シートと、前記吸収体を横断していて前記縦方向においての弾性的な伸長と収縮との反復が可能であって弾性的に弛緩した状態で前記第１シートに接合するとともに前記第１シートと前記吸収体との間に介在している第２シートとによって形成されている。
【００４３】
本考案には少なくとも以下の実施態様がある。
（１）前記第１シートでは、並列する複数条の前記プリーツが互いに隣接してプリーツ域を形成し、前記プリーツ域の複数が互いに離間して前記縦方向に並び、前記プリーツ域どうしの間には前記縦方向において非伸長性であって平坦な非プリーツ域が形成されている。
（２）前記第２シートは、前記プリーツ域それぞれに重なって前記吸収体を横断し、前記縦方向では前記非プリーツ域において互いに離間する複数の弾性帯片によって形成されている。
（３）前記第１シートが通気不透液性のプラスチックフィルムで形成されている。
（４）前記非プリーツ域の一部分には、着衣に着脱可能な前記止着域が形成されている。
（５）前記吸収体は、前記吸収体を前記厚さ方向において貫通して前記吸収体の一部分を前記縦方向において分断する分断部位が形成されている。
（６）前記吸収体は、前記分断部位であって、前記横方向の寸法を二等分する中心線と交差して前記横方向へ延びていて、前記吸収体を前記中心線上において前記縦方向に分断する中央分断部位を有し、前記中央分断部位の複数が前記縦方向に並んでいる。
（７）前記吸収体は、前記横方向の両側に前記縦方向へ延びる側縁を有し、前記側縁には、前記分断部位であって、前記吸収体の内側に向かって前記横方向へ延びていて、前記側縁を前記縦方向において分断する複数の側縁分断部位が形成されている。
（８）前記体液吸収性着用物品には、前記横方向へ突出した状態にあるウイング部が形成され、前記吸収体の前記側縁から延出した前記裏面シート層が前記ウイング部にまで延びていて、前記ウイング部における前記裏面シート層には前記プリーツ域と前記非プリーツ域とのうちの少なくとも前記非プリーツ域が含まれている。
（９）前記表面シート層と前記裏面シート層とは、前記体液吸収性着用物品の周縁に沿って形成された複数の圧搾部において接合し、前記周縁に沿って隣り合う前記圧搾部どうしの間の部位においては伸長性の接着剤を介して接合している。
（１０）前記体液吸収性着用物品の前記横方向の両側それぞれには、前記表面シート層の一部を覆って前記縦方向へ延びる伸長性の不織布によって防漏部が形成されている。
（１１）前記防漏部の前記不織布が、前記体液吸収性着用物品の前記両側それぞれと前記ウイング部とにおいて前記裏面シート層に重なり、接合している。
（１２）前記防漏部の前記不織布と前記裏面シート層とは、前記体液吸収性着用物品の前記周縁に沿って重なり合い、前記周縁に沿って形成された複数の前記圧搾部において接合し、前記周縁に沿って隣り合う前記圧搾部どうしの間の前記部位においては前記伸長性の接着剤を介して接合している。
（１３）前記部位が前記非プリーツ域に形成されている。
（１４）前記体液吸収性着用物品が、シート状材料によって包装されることで包装体になっており、前記包装体では、前記体液吸収性着用物品の前記縦方向における両端部のうちの一端部が前記包装体から前記体液吸収性着用物品を取り出すときに使用する摘持用端部となるとともに、前記縦方向には前記摘持用端部と前記止着域との間に前記プリーツ域の複数のうちの一つであって前記摘持用端部に対向する端部プリーツ域が形成されていて、前記体液吸収性着用物品を取り出すための開口が前記包装体の所要部位に形成されると、前記開口には前記摘持用端部とともに前記端部プリーツ域が見えるように包装されている。
【符号の説明】
【００４４】
１０    体液吸収性着用物品（生理用ナプキン）
１１    表面シート層
１１ａ    肌対向面
１２    裏面シート層
１２ａ    着衣対向面
１３    吸収体
１７    両端部
１９    圧搾部
２１    周縁
２２    接着剤
２５    第１シート
２６    第２シート
２７    帯片
２８    プリーツ
２９    プリーツ域
３０    非プリーツ域
３３    分断部位
３３ａ    中央分断部位
３３ｂ    側縁分断部位
３５    止着域
７０    ウイング部
Ａ    縦方向
Ｂ    横方向
Ｃ    厚さ方向
【図１】
0003212169.tif 000003
【図２】
0003212169.tif 000004
【図３】
0003212169.tif 000005
【図４】
0003212169.tif 000006
【図５】
0003212169.tif 000007
【図６】
0003212169.tif 000008
【図７】
0003212169.tif 000009
【図８】
0003212169.tif 000010
【図９】
0003212169.tif 000011
【図１０】
0003212169.tif 000012
【図１１】
0003212169.tif 000013
【手続補正書】
【提出日】平成29年6月30日(2017.6.30)
【手続補正１】
【補正対象書類名】実用新案登録請求の範囲
【補正対象項目名】全文
【補正方法】変更
【補正の内容】
【実用新案登録請求の範囲】
【請求項１】
互いに直交する縦方向と横方向と厚さ方向とを有し、前記厚さ方向では肌対向面を形成する表面シート層と着衣対向面を形成する裏面シート層との間に体液吸収性の吸収体が介在し、前記表面シート層が前記吸収体を被覆する部分の少なくとも一部において透液性であり、前記裏面シート層が前記吸収体を被覆する部分において不透液性であり、前記表面シート層と前記裏面シート層とが前記吸収体から延出する部分において接合し、前記吸収体が前記表面シート層と前記裏面シート層とのうちの少なくとも一方に接合しているパッド状の体液吸収性着用物品であって、
前記表面シート層と前記裏面シート層と前記吸収体とのそれぞれが前記縦方向への伸長性を有し、
前記表面シート層と前記裏面シート層とのうちの少なくとも一方のシート層は、複数条のプリーツが並列して前記横方向へ延びていて前記プリーツが前記縦方向へ拡幅されて前記伸長性を発現する第１シートと、前記吸収体を横断していて前記縦方向においての弾性的な伸長と収縮との反復が可能であって弾性的に弛緩した状態で前記第１シートに接合するとともに前記第１シートと前記吸収体との間に介在している第２シートとによって形成されていることを特徴とする体液吸収性着用物品。
【請求項２】
前記第１シートでは、並列する複数条の前記プリーツが互いに隣接してプリーツ域を形成し、前記プリーツ域の複数が互いに離間して前記縦方向に並び、前記プリーツ域どうしの間には前記縦方向において非伸長性であって平坦な非プリーツ域が形成されている請求項１記載の体液吸収性着用物品。
【請求項３】
前記第２シートは、前記プリーツ域それぞれに重なって前記吸収体を横断し、前記縦方向では前記非プリーツ域において互いに離間する複数の弾性帯片によって形成されている請求項２記載の体液吸収性着用物品。
【請求項４】
前記第１シートが通気不透液性のプラスチックフィルムで形成されている請求項１−３のいずれかに記載の体液吸収性着用物品。
【請求項５】
前記非プリーツ域の一部分には、着衣に着脱可能な止着域が形成されている請求項２記載の体液吸収性着用物品。
【請求項６】
前記吸収体は、前記吸収体を前記厚さ方向において貫通して前記吸収体の一部分を前記縦方向において分断する分断部位が形成されている請求項２記載の体液吸収性着用物品。
【請求項７】
前記吸収体は、前記分断部位であって、前記横方向の寸法を二等分する中心線と交差して前記横方向へ延びていて、前記吸収体を前記中心線上において前記縦方向に分断する中央分断部位を有し、前記中央分断部位の複数が前記縦方向に並んでいる請求項６記載の体液吸収性着用物品。
【請求項８】
前記吸収体は、前記横方向の両側に前記縦方向へ延びる側縁を有し、前記側縁には、前記分断部位であって、前記吸収体の内側に向かって前記横方向へ延びていて、前記側縁を前記縦方向において分断する複数の側縁分断部位が形成されている請求項６または７記載の体液吸収性着用物品。
【請求項９】
前記体液吸収性着用物品には、前記横方向へ突出した状態にあるウイング部が形成され、前記吸収体の前記側縁から延出した前記裏面シート層が前記ウイング部にまで延びていて、前記ウイング部における前記裏面シート層には前記プリーツ域と前記非プリーツ域とのうちの少なくとも前記非プリーツ域が含まれている請求項８記載の体液吸収性着用物品。
【請求項１０】
前記表面シート層と前記裏面シート層とは、前記体液吸収性着用物品の周縁に沿って形成された複数の圧搾部において接合し、前記周縁に沿って隣り合う前記圧搾部どうしの間の接合部位においては伸長性の接着剤を介して接合している請求項２記載の体液吸収性着用物品。
【請求項１１】
前記体液吸収性着用物品の前記横方向の両側それぞれには、前記表面シート層の一部を覆って前記縦方向へ延びる伸長性の不織布によって防漏部が形成されている請求項９記載の体液吸収性着用物品。
【請求項１２】
前記防漏部の前記不織布が、前記体液吸収性着用物品の前記両側それぞれと前記ウイング部とにおいて前記裏面シート層に重なり、接合している請求項１１記載の体液吸収性着用物品。
【請求項１３】
前記防漏部の前記不織布と前記裏面シート層とは、前記体液吸収性着用物品の周縁に沿って重なり合い、前記周縁に沿って形成された複数の圧搾部において接合し、前記周縁に沿って隣り合う前記圧搾部どうしの間の接合部位においては前記伸長性の接着剤を介して接合している請求項１１記載の体液吸収性着用物品。
【請求項１４】
前記圧搾部どうしの間の前記接合部位が前記非プリーツ域に形成されている請求項１０または１３記載の体液吸収性着用物品。
【請求項１５】
前記体液吸収性着用物品が、シート状材料によって包装されることで包装体になっており、前記包装体では、前記体液吸収性着用物品の前記縦方向における両端部のうちの一端部が前記包装体から前記体液吸収性着用物品を取り出すときに使用する摘持用端部となるとともに、前記縦方向には前記摘持用端部と前記止着域との間に前記プリーツ域の複数のうちの一つであって前記摘持用端部に対向する端部プリーツ域が形成されていて、前記体液吸収性着用物品を取り出すための開口が前記包装体の所要部位に形成されると、前記開口には前記摘持用端部とともに前記端部プリーツ域が見えるように包装されている請求項５記載の体液吸収性着用物品。
【手続補正２】
【補正対象書類名】明細書
【補正対象項目名】００４３
【補正方法】変更
【補正の内容】
【００４３】
本考案には少なくとも以下の実施態様がある。
（１）前記第１シートでは、並列する複数条の前記プリーツが互いに隣接してプリーツ域を形成し、前記プリーツ域の複数が互いに離間して前記縦方向に並び、前記プリーツ域どうしの間には前記縦方向において非伸長性であって平坦な非プリーツ域が形成されている。
（２）前記第２シートは、前記プリーツ域それぞれに重なって前記吸収体を横断し、前記縦方向では前記非プリーツ域において互いに離間する複数の弾性帯片によって形成されている。
（３）前記第１シートが通気不透液性のプラスチックフィルムで形成されている。
（４）前記非プリーツ域の一部分には、着衣に着脱可能な前記止着域が形成されている。
（５）前記吸収体は、前記吸収体を前記厚さ方向において貫通して前記吸収体の一部分を前記縦方向において分断する分断部位が形成されている。
（６）前記吸収体は、前記分断部位であって、前記横方向の寸法を二等分する中心線と交差して前記横方向へ延びていて、前記吸収体を前記中心線上において前記縦方向に分断する中央分断部位を有し、前記中央分断部位の複数が前記縦方向に並んでいる。
（７）前記吸収体は、前記横方向の両側に前記縦方向へ延びる側縁を有し、前記側縁には、前記分断部位であって、前記吸収体の内側に向かって前記横方向へ延びていて、前記側縁を前記縦方向において分断する複数の側縁分断部位が形成されている。
（８）前記体液吸収性着用物品には、前記横方向へ突出した状態にあるウイング部が形成され、前記吸収体の前記側縁から延出した前記裏面シート層が前記ウイング部にまで延びていて、前記ウイング部における前記裏面シート層には前記プリーツ域と前記非プリーツ域とのうちの少なくとも前記非プリーツ域が含まれている。
（９）前記表面シート層と前記裏面シート層とは、前記体液吸収性着用物品の周縁に沿って形成された複数の圧搾部において接合し、前記周縁に沿って隣り合う前記圧搾部どうしの間の接合部位においては伸長性の接着剤を介して接合している。
（１０）前記体液吸収性着用物品の前記横方向の両側それぞれには、前記表面シート層の一部を覆って前記縦方向へ延びる伸長性の不織布によって防漏部が形成されている。
（１１）前記防漏部の前記不織布が、前記体液吸収性着用物品の前記両側それぞれと前記ウイング部とにおいて前記裏面シート層に重なり、接合している。
（１２）前記防漏部の前記不織布と前記裏面シート層とは、前記体液吸収性着用物品の前記周縁に沿って重なり合い、前記周縁に沿って形成された複数の前記圧搾部において接合し、前記周縁に沿って隣り合う前記圧搾部どうしの間の接合部位においては前記伸長性の接着剤を介して接合している。
（１３）前記圧搾部どうしの間の前記接合部位が前記非プリーツ域に形成されている。
（１４）前記体液吸収性着用物品が、シート状材料によって包装されることで包装体になっており、前記包装体では、前記体液吸収性着用物品の前記縦方向における両端部のうちの一端部が前記包装体から前記体液吸収性着用物品を取り出すときに使用する摘持用端部となるとともに、前記縦方向には前記摘持用端部と前記止着域との間に前記プリーツ域の複数のうちの一つであって前記摘持用端部に対向する端部プリーツ域が形成されていて、前記体液吸収性着用物品を取り出すための開口が前記包装体の所要部位に形成されると、前記開口には前記摘持用端部とともに前記端部プリーツ域が見えるように包装されている。